(57)【要約】【目的】従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散し、香水の指への付着防止やグリップのディスプレイ効果を上げることが可能となる。【構成】筆記具の軸筒に把持部として被覆されてなる熱可塑性エラストマー又はゴム等のグリップ部材に於いて、当該グリップ部材は、スポンジ状の無数の連続気孔を備えた多孔質部を有し、その連続気孔に適量の香水が含浸され、前記多孔質部の外周に非吸液性の被覆層が設けられると共に、グリップ部材の少なくとも一端に多孔質部と被覆層の外部に連通する開口部が設けられてなり、グリップ部材を掴んだときに意図して好きなときに芳香させることが可能となる。【選択図】図１
2004181872.tif 000002
【特許請求の範囲】
【請求項１】
筆記具の軸筒に把持部として被覆されてなる熱可塑性エラストマー又はゴム等のグリップ部材に於いて、当該グリップ部材は、スポンジ状の無数の連続気孔を備えた多孔質部を有し、その連続気孔に適量の香水が含浸され、前記多孔質部の外周に非吸液性の被覆層が設けられると共に、グリップ部材の少なくとも一端に多孔質部と被覆層の外部に連通する開口部が設けられてなることを特徴とする筆記具のグリップ部材。
【請求項２】
グリップ部材の一端側被覆層に多孔質部に連通する開口部が設けられてなる請求項１に記載の筆記具のグリップ部材。
【請求項３】
開口部以外は皮膜層の外部と多孔質部との通気が遮断されてなる請求項１に記載の筆記具のグリップ部材。
【請求項４】
軸筒の取付け凹部の一端に通気口が設けられ、そこに多孔質部の開口部が当接して外気と連通するように設けられてなる請求項１に記載の筆記具のグリップ部材。
【発明の詳細な説明】
【０００１】
【発明が属する技術分野】
本発明は、筆記具の軸筒に被嵌されるグリップ部材に関する。
【０００２】
【従来の技術】
【特許文献１】実用新案登録公報第２５３７２７４号
【特許文献２】特開平１０−２９１３９６号
【特許文献３】特開平７−２９０８８９号
従来、筆記具では長時間筆記をする場合などに握り部が滑ったり、指が痛くなったりすることを解消するために把持部にゴムなどの軟質材料を被嵌した筆記具が知られている。また構造としては、硬質樹脂製の軸筒の凹部にシリコンゴムやＥＰＤＭ、ＮＢＲなどの軟質材を装着したり、凹部に熱可塑性エラストマーを２色成形で一体に形成したものがある。（特許文献１）
また、筆記用具に香水を封入し、香水のもたらす心理的な効果によって、事務や学習の効率を高めようとする目的で、ボールペン等の筆記用具の内部に精神を鼓舞したり、鎮静化したりするはたらきをもつ香水を封入し、ペンの使用時に香水を蒸発させようとするものがある。（特許文献２）
また、消しゴム、鉛筆、シャープペンシル、万年筆、ボールペン、サインペンなどの筆記用具、及び指輪、腕輪、ペンダントなどの身体装飾品からなる所持品に芳香、特に眠気を覚ます芳香、又は精神安定効果を奏する芳香を放散する付属物品を付着、又は組み込んでなることを特徴とするものが知られている。（特許文献３）
【０００３】
即ち、従来のものは、長時間筆記をする場合などに握り部が滑ったり、指が痛くなったりすることを解消するためだけのグリップであったり、精神的安定効果を目的として香水や香料を含有した部材を筆記具に搭載や貼着したものである。
【０００４】
【発明が解決しようとする課題】
本発明は、従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散可能とする。また、グリップのディスプレイ効果を上げたり、指に香水が付着するのを防止可能とするなどを課題とする。
【０００５】
【課題を解決するための手段】
本発明は、上記課題を達成する為に以下の構成を有する。
請求項１に記載の発明に係る筆記具のグリップ部材は、筆記具の軸筒に把持部として被覆されてなる熱可塑性エラストマー又はゴム等のグリップ部材に於いて、当該グリップ部材は、スポンジ状の無数の連続気孔を備えた多孔質部を有し、その連続気孔に適量の香水が含浸され、前記多孔質部の外周に非吸液性の被覆層が設けられると共に、グリップ部材の少なくとも一端に多孔質部と被覆層の外部に連通する開口部が設けられてなる。
【０００６】
請求項２に記載の発明に係る記載の筆記具のグリップ部材は、請求項１に記載の筆記具のグリップ部材に於いて、グリップ部材の一端側被覆層に多孔質部に連通する開口部が設けられてなる。
【０００７】
請求項３に記載の発明に係る記載の筆記具のグリップ部材は、請求項１に記載の筆記具のグリップ部材に於いて、開口部以外は皮膜層の外部と多孔質部との通気が遮断されてなる。
【０００８】
請求項４に記載の発明に係る記載の筆記具のグリップ部材は、請求項１に記載の筆記具のグリップ部材に於いて、軸筒の取付け凹部の一端に通気口が設けられ、そこに多孔質部の開口部が当接して外気と連通するように設けられてなる。
【０００９】
【実施例】
本発明の実施例は、図１乃至図５に示されている。
先ず、軸筒本体１は、段部３の前方に適宜縮径した取付け部２が形成され、その前端に螺子部４が設けられている。
【００１０】
図１に示すグリップ部材９は、実施例１であり、熱可塑性エラストマーやシリコンゴム、ＮＢＲなどのゴム材料よって成形されている。また、グリップ部材９は、スポンジ状の無数の連続気孔を備えた多孔質部９ａを有し、その連続気孔に適量の香水が含浸可能となされている。また、グリップ部材９の外形は単純な円筒状に限らず、曲面としたり、軸筒本体の形状にならって横断面形状が異形などにしたり自由である。
【００１１】
多孔質部の形成は、インキを含有してスタンプや朱肉等を必要としない浸透印の製法と同様な方法で成形される。すなわち、ゴム材料に固形状の溶質材を分散させた状態で成形し、成形後に溶質材を溶出させる方法やゴム材料に発泡剤を混入させて成形する方法で得られる。
【００１２】
また、グリップ部材９は、多孔質部９ａの外周及び内周に被覆層として皮膜部９ｂが形成され、一端に開口部９ｃが設けられると共に他端が閉塞されてなる。
また、皮膜部９ｂは、非吸液性で、香水などは浸透不可であり、芳香などの通気は遮断あるいは抑制される。
なお、グリップ部材９は、シート状に形成され、取付け部２に丸めて溶着や接着で容易に固定することも可能である。
【００１３】
図に示すように、グリップ部材９は、閉塞部を軸筒本体１の段部３に当接させた状態で取付け部２に被覆され、螺子部４に口先部５を螺着したときに、口先部５の後端部７がグリップ部材９の開口部９ｃに対面上に当接する。
（即ち、軸筒の取付け凹部２ａに被覆される。）また、口先部５の後端部７の所用箇所には、溝状の通気口８が形成されており、多孔質部９ａは、この通気口８を通じて外気に連通している。（尚、取付け部２と口先部５を一体部材となすことも可能である。）
【００１４】
また、図２に示すように、グリップ部材９は、開口部９ｃを軸筒本体１の段部３に当接させた状態で取付け部２に被覆され、螺子部４に口先部５を螺着したときに、口先部５の後端部７がグリップ部材９の閉塞部に対面上に当接するように設けられている。このとき、軸筒本体１の段部３の前面所用箇所には、溝状の通気口１０が形成されており、多孔質部９ａは、この通気口１０を通じて外気に連通している。
【００１５】
図３は実施例２を示しており、グリップ部材１１は、多孔質部１１ａの外周に外皮部１１ｂが、内周に内皮部１１ｃが形成されてなる。被覆層としての外皮部と内皮部は、やはり非吸液性で、香水などは浸透不可であり、芳香などの通気は遮断あるいは抑制される。
また、外皮部と内皮部は、基本的には多孔質部１１ａの外周に密着性の良い材料が選択され、多孔質部の外周にコーティングや、薄いフィルム状のものを被覆して形成される。なお、グリップ部材１１は、シート状に形成され、取付け部２に丸めて溶着や接着で容易に固定することが可能である。
【００１６】
図４は実施例３を示しており、グリップ部材１３は、多孔質部１３ａの外周に被覆部１３ｂが形成されている。皮膜部１３ｂは非吸液性であり、香水などは浸透不可であり、芳香などの通気は遮断あるいは抑制される。皮膜部１３ｂは、多孔質部の外周にコーティングや、薄いフィルム状のものを被覆して形成される。
また、２色成形で内層部の多孔質部と外層部の皮膜部で形成される
【００１７】
なお、実施例２、３は、グリップ部材の前後端が密閉状に当接される場合には、芳香の放散が抑制されるので、前後端を開口して設けることが可能である。
また更に、多孔質部の内周面を軸筒本体１の取付け部２外周面に密着させれば実施例３のように皮膜部を多孔質部の外周のみとなすことも可能となる。
【００１８】
また、図５は実施例４を示しており、グリップ部材１２は、多孔質部１２ａを全周密閉する状態で被覆層として皮膜部１２ｂが形成されている。皮膜部１２ｂは、やはり非吸液性で、香水などは浸透不可であり、芳香などの通気は遮断あるいは抑制される。また、前端側の皮膜部外周に適宜昭孔の開口部１２ｃが形成されている。
【００１９】
【作用】
以上の構成によって、多孔質部に香水等を適宜含浸させ、筆記に際して指でグリップ部材を掴んだときに、多孔質部に含浸された香水等をグリップ部材の開口部から口先部あるいは軸筒本体の端部に設けられた通気口を通じて芳香を放散させることが可能となる。また、多孔質部の外周に非吸液性の被覆部が形成されているので、多孔質部に含浸された香水等が不用意に漏出するのが防止される。
【００２０】
また、グリップ部材を強く掴んだときに、開口部から香水が噴霧状に放散されることによって意図して好きなときに芳香させることも可能となる。また、香水の放散はグリップ部材の前端あるいは後端（前端及び後端であってもよい。）から行われるので香水が直接指に付着するのを防止することができる。香水の付着を防止するためには開口部をグリップ部材の前端のみに設けることが望ましい。
また、香水の種類に合わせて皮膜部の色彩や皮膜部に図柄等を設けることでグリップのディスプレイ効果を上げることができる。
【００２１】
【発明の効果】
本発明は、従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散し、香水の指への付着防止やグリップのディスプレイ効果を上げることが可能となる。
【図面の簡単な説明】
【図１】本発明の実施例１であるグリップ部材が配設された筆記具の軸筒を示す断面図である。
【図２】実施例１のグリップ部材が向きを代えて配設された状態を示す断面図である。
【図３】本発明の実施例２であるグリップ部材が配設された筆記具の軸筒を示す断面図である。
【図４】本発明の実施例３であるグリップ部材が配設された筆記具の軸筒を示す断面図である。
【図５】本発明の実施例４であるグリップ部材が配設された筆記具の軸筒を示す断面図である。
【符号の説明】
１          軸筒本体
２          取付け部
２ａ        取付け凹部
３          段部
４          螺子部
５          口先部
６          段部
７          後端部
８          通気口
９          グリップ部材
９ａ        多孔質部
９ｂ        皮膜部
９ｃ        開口部
１０        通気口
１１        グリップ部材
１１ａ      多孔質部
１１ｂ      外皮部
１１ｃ      内皮部
１１ｄ      開口部
１２        グリップ部材
１２ａ      多孔質部
１２ｂ      皮膜部
１２ｃ      開口部
１３        グリップ部材
１３ａ      多孔質部
１３ｂ      皮膜部
１３ｃ      開口部
【図１】
2004181872.tif 000003
【図２】
2004181872.tif 000004
【図３】
2004181872.tif 000005
【図４】
2004181872.tif 000006
【図５】
2004181872.tif 000007